(57)【要約】【課題】電気的な確実な導通と、割れなどの不具合の発生の抑制とを両立させた圧着端子を提供する。  【解決手段】圧着端子１は、接触部１０、連結部２０、および圧着部３０を有する。また、圧着部３０は、ワイヤバレル４０とインスレーションバレル５０とを有する。このワイヤバレル４０は、前後方向中央部分に、中央部分を除く前後の部分の側縁４２，４３よりも外方に突き出た突出し部４４を有する。この突出し部４４は、中央部分よりも前方の部分の第１の側縁４２から第１の側縁４２を接線とする第１の弧を描いて突き出て、第１の弧とは逆向きの第２の弧を描いて中央部分よりも後方の部分の第２の側縁４３に近づき、さらに第２の弧とは逆向きの、第２の側縁４３を接線とする第３の弧を描いて該第２の側縁４３に繋がった形状を有する。【選択図】図４
2020144991.tif 000002
【特許請求の範囲】
【請求項１】
相手コンタクトと接触する接触部、および、
圧着により電気ケーブルの芯線と導通するワイヤバレルと、圧着により前記電気ケーブルの被覆された部分を把持するインスレーションバレルとを有する圧着部を備え、
前記ワイヤバレルの、前後方向中央部分に、該中央部分を除く前後の部分の側縁よりも外方に突き出た突出し部を有することを特徴とする圧着端子。
【請求項２】
前記突出し部が、前記中央部分よりも前方の部分の第１の側縁から該第１の側縁を接線とする第１の弧を描いて突き出て、該第１の弧とは逆向きの第２の弧を描いて該中央部分よりも後方の部分の第２の側縁に近づき、さらに該第２の弧とは逆向きの、該第２の側縁を接線とする第３の弧を描いて該第２の側縁に繋がった形状を有することを特徴とする請求項１に記載の圧着端子。
【請求項３】
前記ワイヤバレルが、前後方向中央部を避けた前後方向両側に、セレーションを有することを特徴とする請求項１または２に記載の圧着端子。
【請求項４】
前記セレーションが、前記ワイヤバレルの前後方向中央に対し、前後に対称の形状を有することを特徴とする請求項３に記載の圧着端子。
【発明の詳細な説明】
【技術分野】
【０００１】
本発明は、電気ケーブルが圧着される圧着部を備えた圧着端子に関する。
【背景技術】
【０００２】
従来より、電気ケーブルが圧着された圧着端子が広く使用されている。この圧着端子にも、益々の小型化および軽量化が求められている。このため、従来よりも板厚の薄い金属板を用いて小型の圧着端子を構成することが試みられている。板厚が薄くなるなると、圧着により割れが発生するおそれがある。特に、アルミニウム電線を圧着する場合には、アルミニウム電線の表面に存在する絶縁体である酸化膜を破って、アルミニウム電線と圧着端子とを確実に電気的に接続する必要がある。このため、アルミニウム電線を圧着する場合には、銅線の場合よりも強く圧着する必要があり、したがって圧着による割れなど不都合の発生を如何にして抑えるかが問題となる。
【０００３】
ここで、特許文献１には、ワイヤバレルの前後方向の前半部の幅を後半部の幅よりも広く設定し、それら前半部と後半部を同じ高さとなるように圧着した圧着端子が開示されている。この圧着端子の場合、前半部で電気的な導通を確実にするとともに、後半部で機械的な強度を保持する意図と考えられる。
【先行技術文献】
【特許文献】
【０００４】
【特許文献１】特開２００９−１５２１１０号公報
【発明の概要】
【発明が解決しようとする課題】
【０００５】
圧着端子の材料の量が場所によって不均一な場合、圧着時に、量の多い部分の伸びが量の少ない部分の伸びより大きい。上掲の特許文献１に開示された圧着端子の場合、圧着時には、ワイヤバレルの幅広の前半部は、後半部よりもさらに前方に伸びる。これにより、前半部よりも更なる前方と後半部とでは形状が大きく異なるので、材料の伸びが前半部と後半部においてアンバランスとなり、これに起因してワイヤバレルの割れなどの不都合が生じるおそれがある。
【０００６】
本発明は、上記事情に鑑み、圧着時の材料の伸びのバランスの制御が容易であって、これにより割れなどの不具合の発生を抑えた圧着端子を提供することを目的とする。
【課題を解決するための手段】
【０００７】
上記目的を達成する本発明の圧着端子は、
相手コンタクトと接触する接触部、および、
圧着により電気ケーブルの芯線と導通するワイヤバレルと、圧着により電気ケーブルの被覆された部分を把持するインスレーションバレルとを有する圧着部を備え、
上記ワイヤバレルの、前後方向中央部分に、その中央部分を除く前後の部分の側縁よりも外方に突き出た突出し部を有することを特徴とする。
【０００８】
本発明の圧着端子は、前後方向中央部分に突出し部を有する。このため、圧着時には、その中央部分の材料が、前後に均等に伸びる。これにより、突出し部の形状等による材料の伸び量の制御が容易となり、電気的に確実に導通するとともに割れなどの不具合を抑えるように調整することができる。
【０００９】
ここで、本発明の圧着端子において、上記突出し部が、上記中央部分よりも前方の部分の第１の側縁から第１の側縁を接線とする第１の弧を描いて突き出て、第１の弧とは逆向きの第２の弧を描いて中央部分よりも後方の部分の第２の側縁に近づき、さらに第２の弧とは逆向きの、第２の側縁を接線とする第３の弧を描いて第２の側縁に繋がった形状を有することが好ましい。
【００１０】
このように、角部の無い形状の突出し部とすることで、角部がある突出し部と比べ、圧着時の芯線の破断が抑えられる。
【００１１】
また、上記ワイヤバレルが、前後方向中央部を避けた前後方向両側に、セレーションを有することが好ましい。
【００１２】
上記の突出し部が設けられている中央部分は突出し部の分だけ材料の量が多い。このため、圧着時に中央部分の材料は前後に伸びるものの、中央部分の圧縮率が高まり板厚が薄くなる。材料の板厚が薄くなるので、割れなどの不具合が発生するとしたら、前後の部分よりも中央部分においてその危険性が高い。
【００１３】
そこで、セレーションを、前後方向中央部を避けた前後方向両側に設けると、中央部にセレーションが存在しない分、十分な材料の板厚が確保されるので、不具合の発生の危険性が抑えられる。
【００１４】
さらに、前後方向中央部を避けた前後方向両側にセレーションを設けるにあたっては、セレーションが、ワイヤバレルの前後方向中央に対し、前後に対称の形状を有することがさらに好ましい。
【００１５】
この場合、圧着時の材料の前後への伸びがさらに均一となり、確実な電気的導通と割れなどの不具合の抑制との両立がさらに容易となる。
【発明の効果】
【００１６】
以上の本発明によれば、確実な電気的導通と割れなどの不具合の発生の抑制とを両立させた圧着端子が実現する。
【図面の簡単な説明】
【００１７】
【図１】本発明の第１実施形態の圧着前の圧着端子を示した斜視図である。
【図２】第１実施形態の圧着後の圧着端子を示した斜視図である。
【図３】第１実施形態の圧着端子のワイヤバレルを平面状に展開して、電気ケーブルが配置される側の面を示した図である。
【図４】本発明の第２実施形態の圧着前の圧着端子を示した斜視図である。
【図５】第２実施形態の圧着端子のワイヤバレルを平面状に展開して、電気ケーブルが配置される側の面を示した図である。
【発明を実施するための形態】
【００１８】
以下、本発明の実施の形態について説明する。
【００１９】
図１は、本発明の第１実施形態の圧着前の圧着端子を示した斜視図である。この図１には、この圧着端子に圧着される電気ケーブルの先端部分も示されている。
【００２０】
また、図２は、第１実施形態の圧着後の圧着端子を示した斜視図である。但し、電気ケーブルの芯線は図示されていない。
【００２１】
この圧着端子１は、接触部１０、連結部２０、および圧着部３０を有する。
【００２２】
この実施形態の圧着端子１の接触部１０は、前端に開口１０Ａが形成された箱型であって、底壁１１と、底壁１１の左右の縁からそれぞれ立ち上がった一対の側壁１２と、上壁１３とを有する。開口１０Ａからは相手端子（不図示）の雄型の接触部が挿入されて、この圧着端子１０と相手端子が電気的に接続される。
【００２３】
また、連結部２０は、接触部１０と圧着部３０とを連結している部分である。
【００２４】
また、圧着部３０は、電気ケーブル２を圧着する部分である。この圧着部３０は、圧着された電気ケーブル２の芯線２ａと導通するワイヤバレル４０と、圧着により電気ケーブル２の被覆された部分２ｂを把持するインスレーションバレル５０とを有する。
【００２５】
圧着に当たっては、電気ケーブル２の先端の、芯線２ａがむき出しになった部分がワイヤバレル４０にあてがわれる。この芯線２ａがむき出しになった部分の長さはコントロールされている。そして、芯線２ａがむき出しになった部分がワイヤバレル４０にあてがわれると、電気ケーブル２の被覆された部分２ｂがインスレーションバレル５０にあてがわれる。その状態で、圧着が行われ、図２に示した形状となる。
【００２６】
図３は、第１実施形態の圧着端子のワイヤバレルを平面状に展開して、電気ケーブルが配置される側の面を示した図である。
【００２７】
このワイヤバレル４０には、幅方向に延びる３本のセレーション４１が形成されている。このセレーション４１は、この実施形態の場合は電気ケーブルが配置される側の面が窪んだ形状となっている。窪んだ形状に代えて突条となっていてもよい。このセレーション４１は、圧着による、ワイヤバレル４０の芯線２ａへの食い込みを助け、圧着端子１と芯線２ａとの導通を確実にするためのものである。
【００２８】
また、このワイヤバレル４０は、前後方向中央部分に、中央部分を除く前後の部分の側縁４２，４３よりも外方に突き出た突出し部４４を有する。この突出し部４４は、中央部分よりも前方の部分の第１の側縁４２から第１の側縁４２を接線とする第１の弧を描いて突き出て、第１の弧とは逆向きの第２の弧を描いて中央部分よりも後方の部分の第２の側縁４３に近づき、さらに第２の弧とは逆向きの、第２の側縁４３を接線とする第３の弧を描いて該第２の側縁４３に繋がった形状を有する。
【００２９】
このワイヤバレル４０は、前後方向の中央部分が突出し部４４の分だけ材料が多い。このため、圧着により中央部分が強く圧着されて圧縮率が高まる。また、中央部分の多い材料の一部は、圧着時に、突出し部４４の形状や圧着時の圧力などにより決まる量だけ伸びる。ここで、圧着時の、前方への伸び量と後方への伸び量は均一であり、伸びがいずれか一方に偏っている場合よりも制御が容易である。これにより、確実な電気的導通と割れなどの不具合の発生の抑制とを両立させることができる。
【００３０】
図４は、本発明の第２実施形態の圧着前の圧着端子を示した斜視図である。
【００３１】
また、図５は、第２実施形態の圧着端子のワイヤバレルを平面状に展開して、電気ケーブルが配置される側の面を示した図である。
【００３２】
ここでは、上述の第１実施形態の説明に用いた符号と同じ符号を付して示し、第１実施形態との相違点についてのみ、説明する。
【００３３】
この第２実施形態におけるワイヤバレル４０には、前後方向中央部を避けた前後方向両側にセレーションが形成されている。これらのセレーション４１は、ワイヤバレル４０の前後方向中央に対し、前後に対称の形状を有する。
【００３４】
この第２実施形態の場合、セレーション４１を、前後方向中央部を避けた前後方向両側に設けていて、中央部分にセレーション４１が存在しない分、十分な材料の板厚が確保されるので、ワイヤバレル４０の割れ等の不具合の発生の危険性が低下し信頼性が向上する。さらに、この第２実施形態の場合、セレーション４１が、ワイヤバレル４０の前後方向中央に対し、前後に対称の形状を有する。このため、圧着時の材料の前後への伸びがさらに均一となり、確実な電気的導通と不具合の抑制との両立がさらに容易となり、信頼性がさらに向上する。
【００３５】
なお、ここでは、箱型の接触部１０を有する圧着端子１について説明したが、本発明は、接触部の形状とは無関係に適用することができる。すなわち、接触部は、雄型であってもよく、雌雄同形であってもよい。
【符号の説明】
【００３６】
１    圧着端子
２    電気ケーブル
２ａ  芯線
２ｂ  被覆された部分
１０  接触部
１０Ａ  開口
１１  底壁
１２  側壁
１３  上壁
２０  連結部
３０  圧着部
４０  ワイヤバレル
４１  セレーション
４２  第１の側縁
４３  第２の側縁
４４  突出し部
５０  インスレーションバレル
【図１】
2020144991.tif 000003
【図２】
2020144991.tif 000004
【図３】
2020144991.tif 000005
【図４】
2020144991.tif 000006
【図５】
2020144991.tif 000007